(57)【特許請求の範囲】
【請求項１】
所定の間隔で対向起立させた薄樹脂板製の対向板の上端側方に、切込溝と差込係止片で構成される対向板連結部を設け、上端中央一方側に設けた果柄を挟持装着する柄装着細溝と、他方上端中央に対向連結部で連結した際に柄装着細溝に挟持装着された果柄を抑える柄抑え部とで構成される果柄の吊下げ保持部を設けた輸送用の個包装体に、果実個体を吊下げ係止するものであって、柄保持用パイプの中間部分にパイプを貫通する切込溝孔を設けておき、柄装着細溝に果柄を挿通して対向連結部を連結し、果実の吊下げ保持を行うと共に、更に吊下げ保持部から突出する果柄を柄保持用パイプの切込溝孔に挿通し、切込溝孔から突出した果柄を折り曲げて柄保持用パイプの一端から挿入し、柄保持用パイプで個包装体に果実を吊下げ係止してなることを特徴とするイチゴの輸送用包装方法。
【請求項２】
輸送用の包装体が、複数の個包装体と、前記複数の個包装体の位置決めを行う台紙と、全体を包む包装箱で構成され、個包装体が、一枚の薄樹脂板の展開板で形成され、底板の両側から対向板を起立させて上端で連結すると共に、対向板の下方が箱形状に形成されるように対向板の側縁から延設する側板を備えてなり、台紙に前記個包装体が嵌合される矩形孔を複数形成すると共に、各矩形孔の内壁の底縁に矩形孔中心方向に突出する舌片を設け、矩形孔に嵌合した個包装体の底板と側板の間に前記舌片を挿入して個包装体の抜け止めとしてなる請求項１記載のイチゴの輸送用包装方法。
【発明の詳細な説明】
【技術分野】
【０００１】
本発明は、傷みやすいイチゴを遠方に出荷輸送する際に採用されるイチゴの輸送用包装方法に関するものである。
【背景技術】
【０００２】
果実（花托）の出荷に際しては、当該果実に対応した包装を施して輸送されるものであるが、イチゴのような表面が柔らかい果実は、輸送中に果実同士がぶつかり、或いは果実と包装部材の接触によって、果実表面に擦り傷、押し傷が生じたり或いは一部が潰れてしまう虞が多く、従前よりその対応手段が提案されている。
【０００３】
例えば特許文献１（特開２００４−６７１４１号公報）には、エンボス加工が施された繊維集合体シートで包装する手段が開示されており、特許文献２（特開２００８−２５４７４６号公報）には、果実を並べた樹脂パックを、包装箱の底面から浮かせた状態で収納して輸送する手段が開示されている。また特許文献３（特開２０１０−２５３０３号公報）には、包装箱内の上方に軸部材（ブドウの枝等）を横架し、ブドウの枝を軸部材に開けた孔に挿通してブドウの房を宙づり状態で包装する手段が開示されている。しかしイチゴは、果実同士の僅かな擦れ、果実と包装部材との僅かな擦れがあっても、その表面が非常に傷つきやすい。前記特許文献１，２は、包装時に果実同士や果実と包装部材が接触しているので、輸送中に瞬間的に外力が加わるような状況では、果実同士や包装部材との僅かな擦れが生ずる虞がある。また特許文献３記載のように複数の果実を並列して吊下げていると、果実自体の揺れによって互いに接触する虞がある。
【０００４】
前記対策として本出願人は、特許文献４に示す通りイチゴの個体毎の吊下げ包装を提案した。この特許文献４には、所定の間隔で対向する薄樹脂板の上端側方に、切り込み溝と差込係止片で構成される対向板連結部を備え、上端中央一方側に設けた果実柄を挟持装着する柄装着細溝と、対向薄樹脂板の上端を連結した際に柄装着細溝に挟持装着された果実柄を抑える柄抑え部とで構成される果実柄保持部を備えた包装体を使用して、イチゴの柄を挟持して吊下げ包装する手段が開示されている。
【先行技術文献】
【特許文献】
【０００５】
【特許文献１】特開２００４−６７１４１号公報。
【特許文献２】特開２００８−２５４７４６号公報。
【特許文献３】特開２０１０−２５３０３号公報。
【特許文献４】特開２０１４−２２７１７７号公報。
【発明の概要】
【発明が解決しようとする課題】
【０００６】
特許文献４に開示された包装体を使用する吊下げ輸送を行う際には、果実の柄を包装部材の所定箇所に孔挿通手段や挟持手段で係止して吊下げるものであるが、吊下げ状態が一定時間以上になると、柄の水分が抜けて柄が痩せてしまう現象が現れる。このため柄挿通孔や柄装着細溝から柄が抜けて、果実が落下してしまう。同様に特許文献３に開示された包装手段を採用したとしても、果柄が細り吊下げ保持が困難になるという課題が残る。
【０００７】
そこで本発明は、吊下げ状態が継続しても果柄が抜け落ちるのを防止する新規なイチゴの輸送用包装方法を提案したものである。
【課題を解決するための手段】
【０００８】
本発明の請求項１記載に係るイチゴの輸送用包装方法は、所定の間隔で対向起立させた薄樹脂板製の対向板の上端側方に、切込溝と差込係止片で構成される対向板連結部を設け、上端中央一方側に設けた果柄を挟持装着する柄装着細溝と、他方上端中央に対向連結部で連結した際に柄装着細溝に挟持装着された果柄を抑える柄抑え部とで構成される果実柄の吊下げ保持部を設けた輸送用の個包装体に、果実個体を吊下げ係止するものであって、柄保持用パイプの中間部分にパイプを貫通する切込溝孔を設けておき、柄装着細溝に果柄を挿通して対向連結部を連結し、果実の吊下げ保持を行うと共に、更に吊下げ保持部から突出する果柄を柄保持用パイプの切込溝孔に挿通し、切込溝孔から突出した果柄を折り曲げて柄保持用パイプの一端から挿入し、柄保持用パイプで個包装体に果実を吊下げ係止してなることを特徴とするものである。
【０００９】
而して水分が十分の収穫直後の果柄を柄装着溝に挿通して突出させ、突出部分を装着したパイプが吊下げストッパーとして作用し、果実の吊下げ荷重を負担すると共に、輸送中に花柄の水分が抜けても吊下げ状態を維持でき、果実を痛めることが無い。
る。
【発明の効果】
【００１０】
本発明方法の構成は、前記のとおり果実を吊り下げ状態で包装して輸送するもので、輸送中並びに販売までの間に、果柄の水分が抜けて柄が細くなっても、吊下げ状態を維持でき、輸送中並びに喫食前の保管中に果肉を痛めることが無い。
【図面の簡単な説明】
【００１１】
【図１】本発明の第一実施形態の柄保持用パイプの使用説明図。
【図２】同個包装体の説明図。
【図３】同個包袋体への吊下げ状態の説明図。
【図４】同台紙の説明図。
【図５】同台紙と包装箱の全体斜視図。
【図６】同参考実施例の柄保持用パイプの使用説明図。
【図７】同吊下げ杆への吊下げ状態の説明図。
【図８】同包装状態の説明図。
【図９】同他の参考実施例の吊下げ杆への吊下げ状態の説明図。
【発明を実施するための形態】
【００１２】
次に本発明方法の実施形態について説明する。本発明方法は果実Ａの果柄Ｂを装着する樹脂製の柄保持用パイプＣを、果実Ａの吊下げ輸送に際して吊下げ係止に使用するもので、図１乃至５は本発明方法の実施形態を示し、その使用包装部材は、前記の柄保持用パイプＣの他に個包装体１と、台紙２と、包装箱３を使用するものである。
【００１３】
個包装体１は、一枚の薄樹脂板の展開板で形成され、底板１１の両側から対向板１２ａ，１２ｂを起立させて上端で連結してアーチ状にするものであり、更に対向板１２ａ，１２ｂの下方が箱形状に形成されるように対向板１２ａ，１２ｂの側縁から延設する側板１３を備えてなる。
【００１４】
対向板１２ａ，１２ｂの上端には、対向板連結部１２１と果柄Ｂの吊下げ保持部１２２を設けたもので、対向板連結部１２１は、側方箇所において一方の対向板１２ａに側縁からの切り込み溝１２１ａを設け、他方の対向板１２ｂに中央方向に突出する鉤状部とした差込係止片１２１ｂを設けて構成したものである。そして前記の差込係止片１２１ｂを切込溝１２１ａに差し込むことで対向板１２ａ，１２ｂをアーチ状に連結するものである。
【００１５】
吊下げ保持部１２２は、対向板１２ａ，１２ｂをアーチ状に連結した際のアーチ中央に対応する箇所の一方の対向板１２ａに、十文字に切り込んだ柄装着細溝１２２ａを設け、他方の対向板１２ｂに、対向連結部１２１で連結した際に前記柄装着細溝１２２ａに挟持装着された果柄Ｂを抑えるＶ状端面とした柄抑え部１２２ｂを設けて構成したものである。
【００１６】
側板１３は、対向板１２ａ，１２ｂの下方が箱形状に形成されるように各対向板１２ａ，１２ｂの側縁から延設するもので、図示するように互いに上下方向から差し込みあって連結する連結溝１３１を設けたものである。
【００１７】
台紙２は、前記個包装体１の底板１１の大きさと一致する矩形孔２１を形成すると共に、個包装体１を保持する高さを備えるように、周縁側壁２２及び矩形孔２１の内壁２３を設け、且つ内壁２３の対向底縁を内方に折り返して舌片２４を矩形孔２１の中心方向に向かって突設したものである。
【００１８】
包装箱３は、台紙２と一致する大きさの底面と、対向板１２ａ，１２ｂを連結した状態の個包装体１が収納される高さを備えたものであれば、その組み立て形状・構造は任意に定められるものである。
【００１９】
而して前記の包装部材を使用して果実（イチゴ）Ａの輸送用包装には、柄保持用のパイプＣを使用するもので、前記パイプＣは、適宜な柔軟性を備えた樹脂製で、果柄Ｂを挿通できる内径で、且つ個包装体１の平面視外形からはみ出さない長さとしたものである。また特に中間部分に、パイプＣを軸方向と交わる方向に貫通する切込溝孔０１を設けておくものである。
【００２０】
包装手順は、第一に個包装体１の側板１３の連結溝１３１に互いに差し込んで連結して対向板１２ａ，１２ｂの下方部分を箱形状に形成し、対向板１２ａ，１２ｂを起立状態とする。次に必要に応じてクッション板（薄スポンジ板）Ｄに果柄Ｂを通し、更にその先方の果柄Ｂを柄装着細溝１２２ａに差し入れると共に、柄抑え部１２２ｂが柄装着細溝１２２ａに挟持装着された果柄Ｂを抑え込む状態となるように対向板１２ａ，１２ｂをアーチ状に連結する。
【００２１】
即ち柄抑え部１２２ｂで果柄Ｂを抑え込むと同時に、差込係止片１２１ｂを切込溝１２１ａに差し入れ、鉤状部分が抜け止め作用して対向板１２ａ，１２ｂを連結する。
【００２２】
前記状態で果実Ａは果柄Ｂによる吊下げ状態となるが、特に本発明は、更に柄保持用パイプＣを使用するものである。対向板１２ａ，１２ｂから上方に突出した果柄ＢをパイプＣの切込溝孔０１に挿通し、更にそのままパイプＣの一方の開口端から挿通するものである。
【００２３】
従って個包装体１における吊下げ保持部１２２で果実Ａの吊下げを実現すると共に、更に柄保持用パイプで個包装体に果実を吊下げ係止するものであるから、輸送期間中に果柄Ｂから水分が抜けて、仮に吊下げ保持部１２２のみによる吊下げが困難となっても、柄保持用パイプＣによる吊下げ係止によって、果実Ａの脱落が生じない。
【００２４】
尚クッション板Ｄは、果実Ａと対向板１２ａ，１２ｂの上方部分との間に介在させるもので、輸送中に包装部材に対して揺れが加わっても、果実Ａが個包装体１一体となり独自に揺れ動作を起こすことが無く、また揺れによって果実Ａが対向板１２ａ，１２ｂの起立面に当接しないようにしたものである。
【００２５】
そして個包装体１に各一個の果実Ａの吊下げ包装を行った後、包装箱３の底面における台紙２の矩形孔２１に個包装体１を嵌合装着し、台紙２の全ての矩形孔２１に個包装体１を装着すると包装箱３の蓋を閉じ、所定の販売先に輸送するものである。前記の輸送中において、特に矩形孔２１への個包装体１の嵌合装着に際して、舌片２４を底板１１と側板１３との間に差し入れておくことで、輸送中に個包装体１が台紙２の矩形孔２１から抜け出るようなことを防止できるものである。
【００２６】
次に図６乃至８は本発明方法の参考実施例を示したものである。この実施例は、輸送用箱体４内に、吊下げ杆５を複数並べて架設したもので、輸送用箱体４の内部には、吊下げ杆５を架設可能とした構造の内壁部４１を設けてなり、吊下げ杆５には細幅の挟持溝部（吊下げ保持部）５１を複数形成したものである。
【００２７】
而して果実Ａの果柄Ｂを適宜な柔軟性を備えた樹脂製の柄保持用パイプＣの一端から挿通する（図６）。次に前記の果柄Ｂが挿通された柄保持用パイプＣを二つ折りとして、挟持溝部５１に圧入嵌合して、果実Ａを吊下げ係止する（図７）。吊下げ杆５に複数の果実Ａを吊下げると、そのまま輸送用箱体４に架設収納し、果実（イチゴ）Ａの輸送に供するものである。
【００２８】
従って果実Ａは吊下げ状態で輸送されると共に、果柄ＢをパイプＣで保護した状態で吊下げ杆５に吊下げ係止するものであるから、果実を傷めることなく輸送することができるものである。
【００２９】
また図９は、他の参考実施形態を示すもので、前記した参考実施例形態における吊下げ杆５の挟持溝部（吊下げ保持部）５１に替えて挟持小孔部（吊下げ保持部）５２を採用したもので、第二実施形態同様に果柄Ｂを柄保持用パイプＣの一端から挿通し、更に果柄Ｂが挿通された柄保持用パイプＣを二つ折りにして、挟持小孔部５２に挿入嵌合して、果実Ａを吊下げ係止するもので、果実Ａの吊下げ状態での輸送を実現するものである。
【符号の説明】
【００３０】
Ａ      果実
Ｂ      果柄
Ｃ      柄保持用パイプ
０１    切込溝孔
Ｄ      クッション板  
１      個包装体
１１    底板
１２ａ，１２ｂ  対向板
１２１  対向板連結部
１２１ａ  切込溝
１２１ｂ  差込係止片
１２２  吊下げ保持部
１２２ａ  柄装着細溝
１２２ｂ  柄抑え部
１３    側板
１３１  連結溝
２      台紙
２１    矩形孔
２２    周縁側壁
２３    内壁
２４    舌片
３      包装箱
４      輸送用箱体
４１    内壁部
５      吊下げ杆
５１    挟持溝部
５２    挟持小孔部
【要約】
【課題】果実（イチゴ）の吊下げ包装において、輸送中に果柄の水分抜けて果柄が細くなっても吊下げ維持する輸送用方法を提供する。
【解決手段】所定の間隔で対向起立させた薄樹脂板製の対向板１２ａ，１２ｂの上端に対向板連結部１２１と果柄の吊下げ保持部１２２を設けた輸送用の個包装体１に、果実個体Ａを吊下げ係止するものであって、柄保持用パイプＣの中間部分にパイプを貫通する切込溝孔０１を設けておき、果実Ａの吊下げ保持を行うと共に、更に吊下げ保持部１２２から突出する果柄Ｂを柄保持用パイプＣの切込溝孔０１に挿通し、切込溝孔から突出した果柄Ｂを折り曲げて柄保持用パイプＣの一端から挿入し、柄保持用パイプで個包装体に果実を吊下げ係止してなる。
【選択図】図３【図１】
0005946926.tif 000002
【図２】
0005946926.tif 000003
【図３】
0005946926.tif 000004
【図４】
0005946926.tif 000005
【図５】
0005946926.tif 000006
【図６】
0005946926.tif 000007
【図７】
0005946926.tif 000008
【図８】
0005946926.tif 000009
【図９】
0005946926.tif 000010